【手続補正書】
【提出日】平成24年2月27日(2012.2.27)
【手続補正１】
【補正対象書類名】特許請求の範囲
【補正対象項目名】全文
【補正方法】変更
【補正の内容】
【特許請求の範囲】
【請求項１】
複数の送信アンテナを有する移動局装置の上りリンクの送信電力を制御する送信電力制御方法であって、
前記複数の送信アンテナのうち少なくとも一つの送信アンテナのパスロス（PL）を測定するステップと、
測定したパスロス（PL）測定値に基づいて代表値パスロス（PL’）を設定するステップと、
前記代表値パスロス（PL’）に基づいて前記移動局装置の総送信電力（PTX）を決定するステップと、
前記総送信電力（PTX）を前記複数の送信アンテナに分配することにより各送信アンテナの送信電力（PTXn）を決定するステップと、を有し、
前記総送信電力（PTX）が以下の式（１）で求められ、前記総送信電力（PTX）を前記複数の送信アンテナにそれぞれ均等に分配することを特徴とする送信電力制御方法。
式（１）
PTX=min{Pmax,10log10(MPUSCH(i))+P0_PUSCH(j)+α(j)・PL’+ΔTF(i)+f(i)}(dBm)
ここで、Pmaxは最大送信電力であり、MPUSCHは送信帯域幅であり、P0_PUSCHは目標受信電力であり、αはフラクショナルＴＰＣの重み係数であり、PL’は測定したパスロス（PL）測定値に基づいて設定された代表値パスロス（PL’）であり、ΔTFはMCSに依存するオフセットであり、f(i)はＴＰＣコマンドによる補正値である。
【請求項２】
前記代表値パスロス（PL’）を、前記複数の送信アンテナのパスロス（PL）測定値を平均化した値とすることを特徴とする請求項１に記載の送信電力制御方法。
【請求項３】
前記代表値パスロス（PL’）を、前記複数の送信アンテナのパスロス（PL）測定値のうち最も小さいパスロス（PL）測定値とすることを特徴とする請求項１に記載の送信電力制御方法。
【請求項４】
前記代表値パスロスを、前記複数の送信アンテナのうち予め定められた一つの送信アンテナのパスロス（PL）測定値とすることを特徴とする請求項１に記載の送信電力制御方法。
【請求項５】
前記総送信電力（PTX）を前記複数の送信アンテナの各々の利得差に応じて分配することを特徴とする請求項１に記載の送信電力制御方法。
【請求項６】
前記各送信アンテナの送信電力（PTXn）の送信電力の合計がPmaxを超えた場合に、前記総送信電力（PTX）をPmaxとし、各送信アンテナの送信電力（PTXn’）を以下の式（４）を用いて決定することを特徴とする請求項５に記載の送信電力制御方法。
式（４）
PTXn’=Pmax−10log10N(dBm)
ここで、Nは送信アンテナ数である。
【請求項７】
前記各送信アンテナの送信電力（PTXn）の送信電力の合計が所定値（Pmax）を超えた場合に、前記総送信電力（PTX）をPmaxとし、前記Pmaxを前記複数の送信アンテナの中でパスロス（PL）が小さいアンテナに対して優先的に分配することを特徴とする請求項５に記載の送信電力制御方法。
【請求項８】
前記各送信アンテナの送信電力（PTXn）の送信電力の合計が所定値（Pmax）を超えた場合に、前記総送信電力（PTX）をPmaxとし、前記複数の送信アンテナの中でパスロス（PL）が最も小さいアンテナに対してのみ電力を設定することを特徴とする請求項５に記載の送信電力制御方法。
【請求項９】
複数の送信アンテナを有する移動局装置の上りリンクの送信電力を制御する送信電力制御方法であって、
前記複数の送信アンテナのパスロス（PL）をそれぞれ測定するステップと、
各送信アンテナで測定したパスロス（PL）測定値に基づいて、前記各送信アンテナの送信電力（PTXn）をそれぞれ決定するステップと、を有することを特徴とする送信電力制御方法。
【請求項１０】
前記各送信アンテナの送信電力（PTXn）が以下の式（６）で求められることを特徴とする請求項９に記載の送信電力制御方法。
式（６）
PTXn=min{Pmax_n,10log10(MPUSCH(i))+P0_PUSCH(j)+α(j)・PLn+ΔTF(i)+f(i)−10log10N}(dBm)
ここで、Pmax_nは送信アンテナ毎の最大送信電力である。
【請求項１１】
前記複数の送信アンテナの送信電力の合計が所定値（Pmax）を超えた場合に、前記移動局装置の総送信電力（PTX）をPmaxとし、各送信アンテナの送信電力（PTXn’）を以下の式（７）を用いて決定することを特徴とする請求項１０に記載の送信電力制御方法。
式（７）
PTXn’=Pmax−10log10N(dBm)
ここで、Nは送信アンテナ数である。
【請求項１２】
前記各送信アンテナの送信電力（PTXn）の送信電力の合計が所定値（Pmax）を超えた場合に、前記総送信電力（PTX）をPmaxとし、前記Pmaxを前記複数の送信アンテナの中でパスロス（PL）が小さいアンテナに対して優先的に分配することを特徴とする請求項１０に記載の送信電力制御方法。
【請求項１３】
前記各送信アンテナの送信電力（PTXn）の送信電力の合計が所定値（Pmax）を超えた場合に、前記総送信電力（PTX）をPmaxとし、前記複数の送信アンテナの中でパスロス（PL）が最も小さいアンテナに対してのみ電力を設定することを特徴とする請求項１０に記載の送信電力制御方法。
【請求項１４】
複数の送信アンテナを有する移動局装置の上りリンクの送信電力を制御する送信電力制御方法であって、
前記複数の送信アンテナのパスロス（PL）をそれぞれ測定するステップと、
測定したパスロス（PL）測定値に基づいて代表値パスロス（PL’）を設定するステップと、
各送信アンテナで測定したパスロス（PL）測定値と前記代表値パスロス（PL’）とを用いて、前記各送信アンテナの送信電力（PTXn）を以下の式（９）及び式（１０）を用いてそれぞれ決定するステップと、を有することを特徴とする送信電力制御方法。
式（９）
PTXb=min{Pmax_n,10log10(MPUSCH(i))+P0_PUSCH(j)+α(j)・PLb+ΔTF(i)+f(i)−10log10N}(dBm)
式（１０）
PTXn=PTXb+β(PLn−PL’)
ここで、βは重み係数である。
【請求項１５】
前記代表値パスロス（PL’）を、前記複数の送信アンテナのパスロス値を平均化した値とすることを特徴とする請求項１４に記載の送信電力制御方法。
【請求項１６】
前記代表値パスロス（PL’）を、前記複数の送信アンテナのパスロス値のうち最も小さいパスロス値とすることを特徴とする請求項１４に記載の送信電力制御方法。
【請求項１７】
前記代表値パスロスを、前記複数の送信アンテナのうち予め定められた一つの送信アンテナの測定パスロス値とすることを特徴とする請求項１４に記載の送信電力制御方法。
【請求項１８】
複数の送信アンテナと、前記複数の送信アンテナのパスロス（PL）を測定するパスロス測定部と、測定したパスロス（PL）測定値に基づいて各送信アンテナの送信電力（PTXn）を決定する送信電力設定部とを具備する移動局装置であって、
前記送信電力設定部は、前記パスロス測定部で測定されたパスロス（PL）測定値に基づいて代表値パスロス（PL’）を設定し、前記代表値パスロス（PL’）に基づいて前記移動局装置の総送信電力（PTX）を決定し、前記総送信電力（PTX）を前記複数の送信アンテナに分配することにより前記各送信アンテナの送信電力（PTXn）を決定し、
前記総送信電力（PTX）が以下の式（１）で求められ、前記総送信電力（PTX）を前記複数の送信アンテナにそれぞれ均等に分配することを特徴とする移動局装置。
式（１）
PTX=min{Pmax,10log10(MPUSCH(i))+P0_PUSCH(j)+α(j)・PL’+ΔTF(i)+f(i)}(dBm)
ここで、Pmaxは最大送信電力であり、MPUSCHは送信帯域幅であり、P0_PUSCHは目標受信電力であり、αはフラクショナルＴＰＣの重み係数であり、PL’は測定したパスロス（PL）測定値に基づいて決定された代表値パスロス（PL’）であり、ΔTFはMCSに依存するオフセットであり、f(i)はＴＰＣコマンドによる補正値である。
【請求項１９】
前記代表値パスロス（PL’）を、前記複数の送信アンテナのパスロス（PL）測定値のうち最も小さいパスロス（PL）測定値とすることを特徴とする請求項１８に記載の移動局装置。
【請求項２０】
前記代表値パスロス（PL’）を、前記複数の送信アンテナのうち予め定められた一つの送信アンテナのパスロス（PL）測定値とすることを特徴とする請求項１８に記載の移動局装置。
【請求項２１】
複数の送信アンテナと、前記複数の送信アンテナのパスロス（PL）を測定するパスロス測定部と、測定したパスロス（PL）測定値に基づいて各送信アンテナの送信電力（PTXn）を決定する送信電力設定部とを具備する移動局装置であって、
前記送信電力設定部は、前記パスロス測定部で測定された各送信アンテナのパスロス（PL）測定値に基づいて、前記各送信アンテナの送信電力（PTXn）を以下の式（６）でそれぞれ決定することを特徴とする移動局装置。
式（６）
PTXn=min{Pmax_n,10log10(MPUSCH(i))+P0_PUSCH(j)+α(j)・PLn+ΔTF(i)+f(i)−10log10N}(dBm)
ここで、Pmax_nは送信アンテナ毎の最大送信電力である。
【請求項２２】
前記複数の送信アンテナの送信電力の合計が所定値（Pmax）を超えた場合に、前記移動局装置の総送信電力（PTX）をPmaxとし、各送信アンテナの送信電力（PTXn’）を以下の式（７）を用いて決定することを特徴とする請求項２１に記載の移動局装置。
式（７）
PTXn’=Pmax−10log10N(dBm)
ここで、Nは送信アンテナ数である。
【請求項２３】
前記各送信アンテナの送信電力（PTXn）の送信電力の合計が所定値（Pmax）を超えた場合に、前記総送信電力（PTX）をPmaxとし、前記Pmaxを前記複数の送信アンテナの中でパスロス（PL）が小さいアンテナに対して優先的に分配することを特徴とする請求項２１に記載の移動局装置。
【請求項２４】
前記各送信アンテナの送信電力（PTXn）の送信電力の合計が所定値（Pmax）を超えた場合に、前記総送信電力（PTX）をPmaxとし、前記複数の送信アンテナの中でパスロス（PL）が最も小さいアンテナに対してのみ電力を設定することを特徴とする請求項２１に記載の移動局装置。
【手続補正２】
【補正対象書類名】明細書
【補正対象項目名】０００８
【補正方法】変更
【補正の内容】
【０００８】
本発明の送信電力制御方法の一は、複数の送信アンテナを有する移動局装置の上りリンクの送信電力を制御する送信電力制御方法であって、前記複数の送信アンテナのうち少なくとも一つの送信アンテナのパスロス（PL）を測定するステップと、測定したパスロス（PL）測定値に基づいて代表値パスロス（PL’）を設定するステップと、前記代表値パスロス（PL’）に基づいて前記移動局装置の総送信電力（PTX）を決定するステップと、前記総送信電力（PTX）を前記複数の送信アンテナに分配することにより各送信アンテナの送信電力（PTXn）を決定するステップと、を有し、前記総送信電力（PTX）が以下の式（１）で求められ、前記総送信電力（PTX）を前記複数の送信アンテナにそれぞれ均等に分配する。
式（１）
PTX=min{Pmax,10log10(MPUSCH(i))+P0_PUSCH(j)+α(j)・PL’+ΔTF(i)+f(i)}(dBm)
ここで、Pmaxは最大送信電力であり、MPUSCHは送信帯域幅であり、P0_PUSCHは目標受信電力であり、αはフラクショナルＴＰＣの重み係数であり、PL’は測定したパスロス（PL）測定値に基づいて設定された代表値パスロス（PL’）であり、ΔTFはMCSに依存するオフセットであり、f(i)はＴＰＣコマンドによる補正値である。
【手続補正３】
【補正対象書類名】明細書
【補正対象項目名】００１１
【補正方法】変更
【補正の内容】
【００１１】
本発明の移動局装置の一は、複複数の送信アンテナと、前記複数の送信アンテナのパスロス（PL）を測定するパスロス測定部と、測定したパスロス（PL）測定値に基づいて各送信アンテナの送信電力（PTXn）を決定する送信電力設定部とを具備する移動局装置であって、前記送信電力設定部は、前記パスロス測定部で測定されたパスロス（PL）測定値に基づいて代表値パスロス（PL’）を設定し、前記代表値パスロス（PL’）に基づいて前記移動局装置の総送信電力（PTX）を決定し、前記総送信電力（PTX）を前記複数の送信アンテナに分配することにより前記各送信アンテナの送信電力（PTXn）を決定し、前記総送信電力（PTX）が以下の式（１）で求められ、前記総送信電力（PTX）を前記複数の送信アンテナにそれぞれ均等に分配することを特徴とする。
式（１）
PTX=min{Pmax,10log10(MPUSCH(i))+P0_PUSCH(j)+α(j)・PL’+ΔTF(i)+f(i)}(dBm)
ここで、Pmaxは最大送信電力であり、MPUSCHは送信帯域幅であり、P0_PUSCHは目標受信電力であり、αはフラクショナルＴＰＣの重み係数であり、PL’は測定したパスロス（PL）測定値に基づいて決定された代表値パスロス（PL’）であり、ΔTFはMCSに依存するオフセットであり、f(i)はＴＰＣコマンドによる補正値である。